(57)【要約】【課題】印刷の用途に応じた適切な課金をすることができ、かつ印刷出力におけるセキュリティ上の問題を回避することができるようにする。【解決手段】印刷処理に対する課金手段を有し、本体操作による印刷および第１の情報処理装置からの印刷および第２の情報処理装置からの印刷が可能な画像処理装置において、本体操作による印刷および第１の情報処理装置からの印刷および第２の情報処理装置からの印刷のジョブを分別するジョブ分別手段と、第１の情報処理装置からの印刷および第２の情報処理装置からの印刷についてユーザの認証を行うユーザ認証手段と、本体操作による印刷および第１の情報処理装置からの印刷に対してのみ、課金手段を有効化する課金有効化手段と、ユーザ認証手段により認証されたユーザに対してのみ印刷出力を実行させる印刷管理手段とを備える。【選択図】図４
2011090380.tif 000002
【特許請求の範囲】
【請求項１】
印刷処理に対する課金手段を有し、本体操作による印刷および第１の情報処理装置からの印刷および第２の情報処理装置からの印刷が可能な画像処理装置において、
前記本体操作による印刷および第１の情報処理装置からの印刷および第２の情報処理装置からの印刷のジョブを分別するジョブ分別手段と、
前記第１の情報処理装置からの印刷および前記第２の情報処理装置からの印刷についてユーザの認証を行うユーザ認証手段と、
前記本体操作による印刷および第１の情報処理装置からの印刷に対してのみ、前記課金手段を有効化する課金有効化手段と、
前記ユーザ認証手段によりユーザ認証された印刷ジョブに対してのみ、印刷出力をさせる印刷管理手段と、を備える
ことを特徴とする画像処理装置。
【請求項２】
前記印刷管理手段は、前記第２の情報処理装置からの印刷についてのみ印刷画像を含む履歴情報を保存する制御をし、他の印刷については印刷画像を消去する制御をすることを特徴とする請求項１に記載の画像処理装置。
【請求項３】
前記ジョブ分別手段は、印刷ジョブのヘッダ部に設定されたユーザ情報に基づき前記分別を行うことを特徴とする請求項１または請求項２に記載の画像処理装置。
【請求項４】
前記本体操作による印刷および第１の情報処理装置からの印刷のジョブのヘッダ部に設定されるユーザ情報は、それぞれを識別する固定のユーザＩＤを含むことを特徴とする請求項３に記載の画像処理装置。
【請求項５】
ユーザ情報を管理するためのユーザ情報管理手段をさらに備え、
前記ジョブ分別手段は、印刷ジョブのヘッダ部に設定されたユーザ情報と、前記ユーザ情報管理手段により管理されたユーザ情報とを照合することにより、前記印刷ジョブの分別を行うことを特徴とする請求項３または請求項４に記載の画像処理装置。
【請求項６】
前記印刷管理手段は、前記第１の情報処理装置からの印刷および第２の情報処理装置からの印刷のジョブをキューイングし、キューイングした印刷ジョブの中から、本画像処理装置においてユーザにより指定されたユーザ情報と一致するユーザ情報を有する印刷ジョブを印刷出力させることを特徴とする請求項３から請求項５のいずれか１項に記載の画像処理装置。
【請求項７】
前記ユーザ情報は、ユーザＩＤおよびパスワードを含むことを特徴とする請求項３から請求項６のいずれか１項に記載の画像処理装置。
【請求項８】
印刷処理に対する課金手段を有し、本体操作による印刷および第１の情報処理装置からの印刷および第２の情報処理装置からの印刷が可能な画像処理装置の制御手段が実行する制御方法であって、
前記制御手段が、前記本体操作による印刷および第１の情報処理装置からの印刷および第２の情報処理装置からの印刷のジョブを分別するジョブ分別ステップと、
前記制御手段が、前記第１の情報処理装置からの印刷および前記第２の情報処理装置からの印刷についてユーザの認証を行うユーザ認証ステップと、
前記制御手段が、前記本体操作による印刷および第１の情報処理装置からの印刷に対してのみ、前記課金手段を有効化する課金有効化ステップと、
前記制御手段が、前記ユーザ認証ステップによりユーザ認証された印刷ジョブに対してのみ、印刷出力をさせる印刷管理ステップと、を含む
ことを特徴とする画像処理装置の制御方法。
【請求項９】
印刷処理に対する課金手段を有し、本体操作による印刷および第１の情報処理装置からの印刷および第２の情報処理装置からの印刷が可能な画像処理装置の制御手段が実行するプログラムであって、
前記制御手段により、前記本体操作による印刷および第１の情報処理装置からの印刷および第２の情報処理装置からの印刷のジョブを分別するジョブ分別ステップと、
前記制御手段により、前記第１の情報処理装置からの印刷および前記第２の情報処理装置からの印刷についてユーザの認証を行うユーザ認証ステップと、
前記制御手段により、前記本体操作による印刷および第１の情報処理装置からの印刷に対してのみ、前記課金手段を有効化する課金有効化ステップと、
前記制御手段により、前記ユーザ認証ステップによってユーザ認証された印刷ジョブに対してのみ、印刷出力をさせる印刷管理ステップと、を含む
ことを特徴とするプログラム。
【発明の詳細な説明】
【技術分野】
【０００１】
本発明は、印刷の利用に応じて個別に料金を徴収する商用目的と、オフィスでの法人使用目的とで共用される画像処理装置の技術に関する。
【背景技術】
【０００２】
従来、コンビニエンスストアなどの不特定のユーザが利用する環境に設置された複写機等の画像処理装置でコピー機能を利用する場合、コピー料金は出力された用紙の枚数等に応じて徴収されることが一般的である。この料金徴収は、画像処理装置に接続されたコインラックを用いて行うことが多い。この場合、ユーザは、コインラックに予め現金を投入し、コピー要求を行う。画像処理装置は、一枚コピーを行う度に、料金を差し引き、残額を算出する。そして、残額がなくなるとコピーを行えないようにしている。
【０００３】
近年、画像処理装置の高機能化に伴い、コピーサービスだけでなく、メモリカード等の外部記憶媒体に保存された電子ファイルを取り込んで印刷し、印刷出力に応じて課金を行うサービスなどが提供されるようになった。
【０００４】
このような電子ファイルを印刷するサービスに対する課金装置として、例えば、特許文献１に開示の装置がある。この装置では、ユーザが外部記憶媒体で持ち込んだ画像データを、画像形成装置側で提供するフォーマットに組み込んで印刷する。そして、そのサービスの対価は、提供されたフォーマット毎に画像形成装置に接続されたコインラックから現金で支払うようになっている。具体的には、この課金システムでは、ユーザが印刷するフォーマットと印刷出力枚数を決定した後に画像形成装置が印刷料金を提示し、コインラックに十分な料金が投入されたことを確認のうえ、印刷出力スタートを行うという操作フローを提供している。
【０００５】
以上のように、コンビニエンスストアなどで用いられる複写機等の画像処理装置での課金は、印刷サービス自体やコンテンツによって対価が決定され、不特定のユーザが料金をその場で支払う方式が一般的である。
【０００６】
一方、画像処理装置がオフィスでの文書印刷に用いられる場合は、業務上に必要となる文書の印刷がなされることから印刷料金は個別の印刷サービスの対価として支払うのではなく、印刷した個人が属する部門に請求される場合が多い。例えば、特許文献２には、部門ごとの請求を行う手段として、プリンタに送られる印刷指示のデータのヘッダ部としてユーザ名、グループ名、パスワードが付加され、ユーザがアプリケーションから印刷を開始の指示を出すと、プリンタにヘッダ部を含む印刷データが転送され、プリンタ側でこのヘッダ部を解析することにより、ユーザを確認可能なシステムが開示されている。このようなシステムを用いることでユーザが所属する部門毎の課金が可能となる。
【０００７】
上記のように、画像処理装置の用途は、大きく分けて商用目的と法人使用目的とがあるが、設置やメンテナンスの費用を考慮すると、用途毎に画像処理装置を設置するのではなく、不特定のユーザとオフィスユーザが混在する環境（例えば、コンビニエンスストアのような店舗とその管理事務所が共存する環境）では、印刷出力に応じた課金と部門毎の課金とを可能にした画像処理装置を設置することが好ましい。
【発明の概要】
【発明が解決しようとする課題】
【０００８】
しかしながら、従来の画像処理装置では、実施される印刷出力が、商用目的での不特定なユーザからの指示か、オフィスユーザからの印刷指示かを判断して適切な課金方法を実施する手段をもたないことから、用途に応じて個別に複数の画像処理装置を設置することになるか、オフィスユーザは現金を用いて印刷を行った後に領収書を用いて別の清算システムで部門清算を行うことになるなどの不便さがあった。加えて、不特定のユーザの本体操作による印刷出力とオフィスユーザのＰＣ等を用いた遠隔操作による印刷出力とが同時に指示されると、不特定のユーザが画像処理装置を操作中にオフィスユーザの印刷物が出力される可能性があり、不特定のユーザがコインラックに投入した料金が意図せず減算される恐れがあった。また、そのような場合はオフィスユーザの印刷物が不特定のユーザに見られる可能性が高くセキュリティ上の問題が生じる恐れがあった。
【０００９】
本発明は、上記に鑑みてなされたものであって、印刷の用途（商用目的／法人使用目的）に応じた適切な課金を、適正に行うことができ、かつ印刷出力におけるセキュリティ上の問題を回避することができる画像処理装置、画像処理装置の制御方法、およびそのプログラムを提供することにある。
【課題を解決するための手段】
【００１０】
上述した課題を解決し、目的を達成するために、本発明は、印刷処理に対する課金手段を有し、本体操作による印刷および第１の情報処理装置からの印刷および第２の情報処理装置からの印刷が可能な画像処理装置において、前記本体操作による印刷および第１の情報処理装置からの印刷および第２の情報処理装置からの印刷のジョブを分別するジョブ分別手段と、前記第１の情報処理装置からの印刷および前記第２の情報処理装置からの印刷についてユーザの認証を行うユーザ認証手段と、前記本体操作による印刷および第１の情報処理装置からの印刷に対してのみ、前記課金手段を有効化する課金有効化手段と、前記ユーザ認証手段によりユーザ認証された印刷ジョブに対してのみ、印刷出力をさせる印刷管理手段と、を備えることを特徴とする。
【００１１】
また、本発明は、前記画像処理装置において、前記印刷管理手段が、前記第２の情報処理装置からの印刷についてのみ印刷画像を含む履歴情報を保存する制御をし、他の印刷については印刷画像を消去する制御をすることを特徴とする。
【００１２】
また、本発明は、前記画像処理装置において、前記ジョブ分別手段が、印刷ジョブのヘッダ部に設定されたユーザ情報に基づき前記分別を行うことを特徴とする。
【００１３】
また、本発明は、前記画像処理装置において、前記本体操作による印刷および第１の情報処理装置からの印刷のジョブのヘッダ部に設定されるユーザ情報がそれぞれを識別する固定のユーザＩＤを含むことを特徴とする。
【００１４】
また、本発明は、前記画像処理装置において、ユーザ情報を管理するためのユーザ情報管理手段をさらに備え、前記ジョブ分別手段が、印刷ジョブのヘッダ部に設定されたユーザ情報と、前記ユーザ情報管理手段により管理されたユーザ情報とを照合することにより、前記印刷ジョブの分別を行うことを特徴とする。
【００１５】
また、本発明は、前記画像処理装置において、前記印刷管理手段が、前記第１の情報処理装置からの印刷および第２の情報処理装置からの印刷のジョブをキューイングし、キューイングした印刷ジョブの中から、本画像処理装置においてユーザにより指定されたユーザ情報と一致するユーザ情報を有する印刷ジョブを印刷出力させることを特徴とする。
【００１６】
また、本発明は、前記画像処理装置において、前記ユーザ情報が、ユーザＩＤおよびパスワードを含むことを特徴とする。
【００１７】
また、本発明は、印刷処理に対する課金手段を有し、本体操作による印刷および第１の情報処理装置からの印刷および第２の情報処理装置からの印刷が可能な画像処理装置の制御手段が実行する制御方法であって、前記制御手段が、前記本体操作による印刷および第１の情報処理装置からの印刷および第２の情報処理装置からの印刷のジョブを分別するジョブ分別ステップと、前記制御手段が、前記第１の情報処理装置からの印刷および前記第２の情報処理装置からの印刷についてユーザの認証を行うユーザ認証ステップと、前記制御手段が、前記本体操作による印刷および第１の情報処理装置からの印刷に対してのみ、前記課金手段を有効化する課金有効化ステップと、前記制御手段が、前記ユーザ認証ステップによりユーザ認証された印刷ジョブに対してのみ、印刷出力をさせる印刷管理ステップと、を含むことを特徴とする。
【００１８】
また、本発明は、印刷処理に対する課金手段を有し、本体操作による印刷および第１の情報処理装置からの印刷および第２の情報処理装置からの印刷が可能な画像処理装置の制御手段が実行するプログラムであって、前記制御手段により、前記本体操作による印刷および第１の情報処理装置からの印刷および第２の情報処理装置からの印刷のジョブを分別するジョブ分別ステップと、前記制御手段により、前記第１の情報処理装置からの印刷および前記第２の情報処理装置からの印刷についてユーザの認証を行うユーザ認証ステップと、前記制御手段により、前記本体操作による印刷および第１の情報処理装置からの印刷に対してのみ、前記課金手段を有効化する課金有効化ステップと、前記制御手段により、前記ユーザ認証ステップによってユーザ認証された印刷ジョブに対してのみ、印刷出力をさせる印刷管理ステップと、を含むことを特徴とする。
【００１９】
なお、前記印刷管理ステップにおいて、前記第２の情報処理装置からの印刷についてのみ印刷画像を含む履歴情報を保存する制御をし、他の印刷については印刷画像を消去する制御をすることが望ましい。
【００２０】
また、前記ジョブ分別ステップにおいて、印刷ジョブのヘッダ部に設定されたユーザ情報に基づき前記分別を行うことが望ましい。
【００２１】
また、前記本体操作による印刷および第１の情報処理装置からの印刷のジョブのヘッダ部に設定されるユーザ情報は、それぞれを識別する固定のユーザＩＤを含むものであることが望ましい。
【００２２】
また、前記ジョブ分別ステップにおいて、印刷ジョブのヘッダ部に設定されたユーザ情報と、ユーザ情報を管理するためのユーザ情報管理手段により管理されたユーザ情報とを照合することにより、前記印刷ジョブの分別を行うことが望ましい。
【００２３】
また、前記印刷管理ステップにおいて、前記第１の情報処理装置からの印刷および第２の情報処理装置からの印刷のジョブをキューイングし、キューイングした印刷ジョブの中から、本画像処理装置においてユーザにより指定されたユーザ情報と一致するユーザ情報を有する印刷ジョブを印刷出力させることが望ましい。
【００２４】
また、前記ユーザ情報は、ユーザＩＤおよびパスワードを含むことが望ましい。
【発明の効果】
【００２５】
本発明によれば、商用目的での不特定なユーザからの指示か、オフィスユーザからの印刷指示かを分別して処理することにより、印刷の用途に応じて課金および印刷出力を制御することが可能となり、商用とオフィス用途の両方で画像処理装置を共用することができる。
【図面の簡単な説明】
【００２６】
【図１】図１は、本発明の一実施形態である画像処理装置の外観図である。
【図２】図２は、同実施形態の画像処理装置のハードウェア構成のブロック図である。
【図３】図３は、同実施形態の画像処理装置が表示する初期画面例を示す図である。
【図４】図４は、同実施形態の画像処理装置の機能ブロック図である。
【図５】図５は、同実施形態の画像処理装置のユーザ情報管理部Ａに格納されるユーザ情報の例を示す図である。
【図６】図６は、同実施形態の画像処理装置のユーザ情報管理部Ｂに格納されるユーザ情報の例を示す図である。
【図７】図７は、同実施形態の画像処理装置が扱う印刷ジョブのヘッダ情報の模式図である。
【図８】図８は、同実施形態の画像処理装置が実施するメディア印刷処理のフローチャートである。
【図９】図９は、同実施形態の画像処理装置が実施するＰＣ印刷処理のフローチャートである。
【図１０】図１０は、同実施形態の画像処理装置が実施する印刷データ認証処理のフローチャートである。
【図１１】図１１は、同実施形態の画像処理装置が実施する印刷実行処理のフローチャートである。
【図１２】図１２は、同実施形態の画像処理装置が実施するキューイング印刷処理１のフローチャートである。
【図１３】図１３は、同実施形態の画像処理装置が実施するキューイング印刷処理２のフローチャートである。
【図１４】図１４は、同実施形態の画像処理装置が実施するユーザ認証処理のフローチャートである。
【図１５】図１５は、同実施形態の画像処理装置が表示するユーザＩＤ、パスワード入力画面例を示す図である。
【図１６】図１６は、同実施形態の画像処理装置が実施する印刷履歴保存処理のフローチャートである。
【発明を実施するための形態】
【００２７】
以下に添付図面を参照して、この発明にかかる画像処理装置の一実施の形態を詳細に説明する。なお、各図面において、共通する部分には同一の符号を用いている。
【００２８】
（本実施形態の画像処理装置の概要）
本実施形態の画像処理装置は、画像処理装置本体とコインラックとを含むシステムであり、コンビニエンスストア等に設置される。以下では、画像処理装置として、プリンタ機能、コピー機能、ファクシミリ機能を複合した複合機を例に説明する。この画像処理装置を用いて、印刷、コピー、ファクス送信等の画像処理を行う場合、コインラックを用いて料金を徴収する。ここでは、画像処理として印刷処理を行う場合について説明する。
【００２９】
図１に示すように、画像処理装置１は、その本体と、この本体に接続されている課金手段としてのコインラック１０１とで構成されている。ここで、料金の徴収は、本実施形態において示す周知のコインラック１０１による現金の徴収に限らず、現在一般に普及している接触又は非接触のＩＣカード等による電子マネーによって行われてもよい。この場合、課金手段としてのカードリーダ（図示せず）は、画像処理装置１からの指示に従って、ＩＣカード内の残額から料金を引き落とすための、ＩＣカードの形態に応じた処理を行う。
【００３０】
画像処理装置１の本体は、用紙への画像形成を行う印刷装置１０２の上部に、原稿からの画像の読み取りを行う画像読取装置１０３を配設した構成となっている。また、画像読取装置１０３の装置外面には、ユーザに対する表示とユーザからの各種の入力の受付とを行う操作パネルＰが設けられている。さらに、操作パネルＰの下部には、各種のメディア（記録媒体）からのデータの読み込みや、記録媒体へのデータの書込を行う外部メディア入出力装置１０４が設けられており、記録媒体の挿入部が外部に露出している。ここで言う記録媒体とは、半導体メモリ、フレキシブルディスク、ハードディスクや光ディスクが挙げられ、外部メディア入出力装置１０４がこれらの記録媒体からデータを読み取り、書き込む機能が備えられている。
【００３１】
（ハードウェア構成）
図２は、画像処理装置１のハードウェア構成を示すブロック図である。画像処理装置１は、画像処理ユニット部Ａと情報処理ユニット部Ｂとに大別されており、印刷装置１０２及び画像読取装置１０３は画像処理ユニット部Ａに属し、操作パネルＰ及び外部メディア入出力装置１０４は情報処理ユニット部Ｂに属している。
【００３２】
（画像処理ユニット部Ａ）
ここで、画像処理ユニット部Ａについて説明する。
【００３３】
印刷装置１０２及び画像読取装置１０３を備える画像処理ユニット部Ａは、この画像処理ユニット部Ａにおける画像処理全般の制御を行う画像処理制御ユニット１０を備えており、この画像処理制御ユニット１０には、印刷装置１０２を制御する印刷制御ユニット１１と、画像読取装置１０３を制御する画像読取制御ユニット１２とが接続されている。印刷制御ユニット１１は、画像処理制御ユニット１０の制御に従って印刷装置１０２に対して画像データを含む印刷指示を出力し、印刷装置１０２に転写紙などの媒体に画像を形成して出力させる。画像読取制御ユニット１２は、画像処理制御ユニット１０の制御により画像読取装置１０３を駆動し、原稿の表面に対するランプ照射の反射光をミラー及びレンズにより受光素子（例えば、ＣＣＤ（Ｃｈａｒｇｅ  Ｃｏｕｐｌｅｄ  Ｄｅｖｉｃｅ））に集光して読み取り、Ａ／Ｄ変換してＲＧＢ各８ｂｉｔのデジタル画像データを生成させる。
【００３４】
このような画像処理制御ユニット１０は、メインプロセッサであるＣＰＵ（Ｃｅｎｔｒａｌ  Ｐｒｏｃｅｓｓｉｎｇ  Ｕｎｉｔ）１３と、画像読取装置１０３から読み込んだ画像データを印刷装置１０２による作像に供すべく一旦格納しておくメモリデバイス（例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等）１４と、制御プログラム等を記憶したＲＯＭ（Ｒｅａｄ  Ｏｎｌｙ  Ｍｅｍｏｒｙ）１５と、システムログ／システム設定／各種ログ情報等を記録しておくための電源ＯＦＦ時にもデータの保持が可能なＮＶＲＡＭ１６とをバス接続した構成となっている。
【００３５】
また、画像処理制御ユニット１０には、多量の画像データの蓄積やジョブ履歴等の記憶装置となるＨＤＤ（Ｈａｒｄ  Ｄｉｓｋ  Ｄｒｉｖｅ）１７、画像処理装置１内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。ＦＡＸ制御ユニット２０は、公衆電話網に通じる構内交換器（ＰＢＸ）２１に接続されており、画像処理装置１は、遠隔のファクシミリと交信することができる。
【００３６】
また、画像処理制御ユニット１０には、表示制御ユニット２２及び操作入力制御ユニット２３が接続されている。表示制御ユニット２２は、画像処理制御ユニット１０のコントロールによって、制御パネルＩ／Ｆ２４およびこの制御パネルＩ／Ｆ２４に接続された通信ケーブル２５を介して情報処理ユニット部Ｂに対して画像表示制御信号を出力し、情報処理ユニット部Ｂの操作パネルＰに対して画像表示の制御を行う。
【００３７】
操作入力制御ユニット２３は、情報処理ユニット部Ｂの操作パネルＰからのオペレータによる機能設定や入力操作に応じた入力制御信号を、画像処理制御ユニット１０のコントロールによって、制御パネルＩ／Ｆ２４およびこの制御パネルＩ／Ｆ２４に接続された通信ケーブル２５を介して入力する。即ち、画像処理ユニット部Ａは、情報処理ユニット部Ｂの操作パネルＰを、通信ケーブル２５を介して直接モニタすることができる構成になっている。したがって、画像処理ユニット部Ａは、従来の画像処理装置が備える画像処理ユニットに対して通信ケーブル２５を接続し、情報処理ユニット部Ｂの操作パネルＰを利用するようにしたものである。即ち、画像処理ユニット部Ａの表示制御ユニット２２及び操作入力制御ユニット２３は、操作パネルＰに接続されているものとして動作している。
【００３８】
このような構成により、画像処理ユニット部Ａは、外部（サーバコンピュータ、クライアントコンピュータ、ファクシミリ等）からの画像情報である印刷データ及びプリント指示するコマンドを解析し、印刷データを出力画像データとして印刷できる状態にビットマップ展開するとともに、印刷モードをコマンドから解析し動作を決定している。その印刷データ及びコマンドをＬＡＮ制御部１８あるいはＦＡＸ制御ユニット２０を通じて受信し動作する。また、画像処理ユニット部Ａは、ＳＤＲＡＭ１４やＨＤＤ１７に記憶されている印刷データ、原稿読取りデータ、これらを出力用に処理した出力画像データ、および、それらを圧縮した圧縮データを外部に転送することもできる。
【００３９】
（情報処理ユニット部Ｂ）
次に、操作パネルＰを備える情報処理ユニット部Ｂについて説明する。
【００４０】
情報処理ユニット部Ｂは、一般にパーソナルコンピュータ（以下ＰＣと称す）等の情報処理装置に用いられる汎用のＯＳ（Ｏｐｅｒａｔｉｎｇ  Ｓｙｓｔｅｍ）によって制御される。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Ｏｐｅｒａｔｉｎｇ  Ｓｙｓｔｅｍ）やアプリケーションプログラムを記憶するＨＤＤ等の記憶装置３３に対するデータの入出力を制御する記憶装置制御ユニット３４とが、バス接続されている。
【００４１】
また、ＣＰＵ３１には、情報処理ユニット部Ｂを、ＨＵＢ１９を介してＬＡＮ２に接続するためのＬＡＮ制御部３５が接続されている。このＬＡＮ制御部３５に割り当てられるネットワークアドレスであるＩＰアドレスは、前述した画像処理ユニット部ＡのＬＡＮ制御部１８に割り当てられるＩＰアドレスとは異なっている。すなわち、本実施形態の画像処理装置１には、２つのＩＰアドレスが割り当てられていることになる。つまり、画像処理ユニット部Ａと情報処理ユニット部Ｂとは個別にＬＡＮ２に接続されていることになり、画像処理ユニット部Ａと情報処理ユニット部Ｂとの間においてはＬＡＮ２を介してデータ交換が可能な構成になっている。
【００４２】
さらに、ＣＰＵ３１には、操作パネルＰを制御パネルＩ／Ｆ３８を介して制御する表示制御ユニット３６及び操作入力制御ユニット３７が接続されている。また、通信ケーブル２５を介して画像処理ユニット部Ａからの画像表示制御信号を受け、操作パネルＰからのオペレータによる機能設定や入力操作に応じた入力制御信号を通信ケーブル２５を介して画像処理ユニット部Ａの制御パネルＩ／Ｆ２４に出力する制御パネル通信ユニット３９も接続されている。
【００４３】
入出力デバイス制御ユニット４０は、記憶媒体Ｍやその他のメディアを読み込む外部メディア入出力装置１０４及び各種インターフェース４１に対する入出力制御をする。
【００４４】
ここで、図３に情報処理ユニット部Ｂが初期表示する画面例を示す。本実施形態の画像処理装置１では、コピー、ファクス、印刷サービスを行うことが可能である。ユーザは、コピーを行いたい場合はコピーボタン３０１を押下し、ファクスを行いたい場合はＦＡＸボタン３０２を押下し、外部記憶メディアから印刷を行いたい場合はメディアプリントボタン３０３を押下し、店舗内のＰＣから印刷を行いたい場合または従業員などが事務所のＰＣから印刷を行いたい場合はＰＣプリントボタン３０４を押下する。これにより、情報処理装置１は、指示されたサービスを開始する。
【００４５】
（課金Ｉ／Ｆボード）
課金Ｉ／Ｆボード５０は、コインラック１０１へのコインラック制御信号を発生させる装置である。画像処理ユニット部Ａと情報処理ユニット部Ｂは、それぞれに内蔵されたドライバ２６とドライバ４２経由で、コインラック１０１の設定およびコインラック１０１への投入料金などの情報取得が可能である。
【００４６】
（画像処理装置１の機能ブロック）
図４は、印刷に係わる各装置と、ＰＣ等の各印刷指示手段が印刷を指示した場合に実行される処理とを機能ブロックとして示した機能ブロック図である。なお、同図において符号Ａで示すブロックは、画像処理ユニット部Ａに含まれ、符号Ｂで示すブロックは、情報処理ユニット部Ｂに含まれる。
【００４７】
メディア印刷実行部４０１は、図２で示される情報処理ユニット部Ｂで実行されるアプリケーションで、操作パネルＰ上に、ユーザがメディア印刷操作を可能とする操作画面を表示する。メディア印刷実行部４０１は、コンビニエンスストアなどにユーザが自分でファイルをメディアに格納して持ち込み、画像処理装置１を操作して印刷する場合の印刷データの入力手段のＵＩ（Ｕｓｅｒ  Ｉｎｔｅｒｆａｃｅ）として機能する。
【００４８】
ＰＣ−Ａ４０２はコンビニエンスストアの店舗に備え付けられたＰＣである。例えばユーザはＰＣ−Ａ４０２を操作して、インターネットから取得した画像を画像処理装置１に印刷させることができる。
【００４９】
ＰＣ−Ｂ４０３は、コンビニエンスストアの事務所に設置された店員用のＰＣである。発注伝票などの業務上に必要な印刷物を、画像処理装置１を使って印刷する用途に用いられる。
【００５０】
印刷ジョブ処理部４０４は、メディア印刷実行部４０１、ＰＣ−Ａ４０２、ＰＣ−Ｂ４０３のそれぞれから指示された印刷ジョブを受信する。印刷ジョブ処理部４０４は受信したデータが正しいジョブであることを確認のうえ、印刷ジョブを印刷認証実行部４０５に引き渡す。
【００５１】
印刷認証実行部４０５は、印刷ジョブの分別（属性の決定）およびユーザの認証を実施する。印刷ジョブの分別およびユーザの認証は、ユーザ情報管理部Ａ４０６及びユーザ情報管理部Ｂ４０７に記憶されているユーザ情報を用いて実施される。ユーザ情報管理部Ａ４０６は、コンビニエンスストアに来客した不特定のユーザが利用するメディア印刷実行部４０１またはＰＣ−Ａ４０２から指示された印刷ジョブに含まれるユーザＩＤおよびパスワードを照合可能なユーザ情報が格納されている。一方、ユーザ情報管理部Ｂ４０７はコンビニエンスストアの事務所などに設置されたＰＣすなわちＰＣ−Ｂ４０３から指示された印刷ジョブに含まれるユーザＩＤおよびパスワードを照合可能なユーザ情報が格納されている。
【００５２】
ここで、図５、図６を用いて各ユーザ情報管理部のユーザ情報の格納形態（フォーマット）について説明する。
【００５３】
図５はユーザ情報管理部Ａ４０６に格納されているユーザ情報をＸＭＬと呼ばれるマークアップ言語によって記述した例である。各ユーザ情報は、５０１，５０２，５０３，５０４に示す＜ｕｓｅｒｉｎｆｏ＞タグ（ユーザ情報タグ）と、対応する＜／ｕｓｅｒｉｎｆｏ＞タグで囲まれる範囲に格納される。
【００５４】
ユーザ情報は、＜ｕｓｅｒｉｄ＞タグと＜／ｕｓｅｒｉｄ＞タグを用いて記述されるユーザＩＤの情報５０５と、＜ｐａｓｓｗｏｒｄ＞タグと＜／ｐａｓｓｗｏｒｄ＞タグを用いて記述されるパスワードの情報５０６と、＜ｔｙｐｅ＞タグと＜／ｔｙｐｅ＞タグを用いて記述される属性の情報５０７とで構成されている。属性にはデスクトップ（ｄｅｓｋｔｏｐ）とバックグラウンド（ｂａｃｋｇｒｏｕｎｄ）の選択肢があり、属性がデスクトップの場合はユーザが操作パネルＰの画面を見ながら操作する対面印刷を意味し、バックグラウンドの場合は画像処理装置１にネットワーク接続されたＰＣからの印刷を意味する（なお、本明細書においては、画像処理装置１本体の操作パネルＰに対面し、これを操作し印刷を行うことを対面印刷と称す）。これらのユーザ情報は、コンビニエンスストアの店長あるいは印刷サービスの管理者などといった、権限を与えられた特定の役割の者にのみ変更可能な情報であり、設置時に画像処理装置１の操作パネルＰからの入力などによって設定されるものである。
【００５５】
同図に示すユーザ情報タグ５０１を用いて記述された情報は、不特定のユーザが利用する画像処理装置１の操作パネルＰ上の操作で指示された、すなわちメディア印刷実行部４０１で指示された印刷ジョブが使用するユーザ情報である。一方、ユーザ情報タグ５０２、５０３および５０４を用いて記述された情報は、コンビニエンスストアなどに備え付けられたＰＣからユーザが指示した印刷ジョブが使用するユーザ情報である。図５の例では、ユーザ情報の格納領域を１０００個備えている。複数のユーザ情報を格納できる領域を用意することにより、同時に複数の印刷指示を受け付けることが可能である。なお１００１個目の受付がなされた場合は、再度ユーザ情報５０２を使用する。すなわち、以前に受け付けた印刷指示を古いものから自動削除して再利用する。
【００５６】
ユーザＩＤ５０８、５１１および５１４、属性５１０、５１３および５１６については、コンビニエンスストアの店長あるいは印刷サービスの管理者などといった権限を与えられた特定の役割の者が設置時に画像処理装置１の操作パネルＰからの入力によって設定されるが、パスワード５０９、５１２および５１５については、印刷受付時にユーザ自身が任意設定したパスワードが印刷認証実行部４０５によって格納される（図５では未設定）。ユーザは印刷受付時にＰＣ−Ａ４０２のディスプレイデバイス上に表示される１ないし１０００までのユーザＩＤと自身が任意設定したパスワードとを印刷実行まで記憶しておく必要がある。
【００５７】
図６はユーザ情報管理部Ｂ４０７に格納されているユーザ情報をＸＭＬと呼ばれるマークアップ言語によって記述した例である。各ユーザ情報は、６０１，６０２に示す＜ｕｓｅｒｉｎｆｏ＞タグ（ユーザ情報タグ）と、対応する＜／ｕｓｅｒｉｎｆｏ＞タグで囲まれる範囲に格納される。６０１，６０２等のユーザ情報タグを用いて記述される情報は、印刷を実行しようとするコンビニの店員などに個人毎に割り当てられたユーザ情報である。このユーザ情報は、＜ｕｓｅｒｉｄ＞タグと＜／ｕｓｅｒｉｄ＞タグを用いて記述されるユーザＩＤの情報６０３、＜ｐａｓｓｗｏｒｄ＞タグと＜／ｐａｓｓｗｏｒｄ＞タグを用いて記述されるパスワードの情報６０４の他、＜ｎａｍｅ＞タグと＜／ｎａｍｅ＞タグを用いて記述される個人名の情報６０５、＜ｇｒｏｕｐ＞タグと＜／ｇｒｏｕｐ＞タグを用いて記述される所属グループ名の情報６０６、＜ｐｏｓｔ＞タグと＜／ｐｏｓｔ＞タグを用いて記述される役職の情報６０７で構成される。なお、ユーザ情報は、コンビニエンスストアを展開する企業のＩ／Ｔ責任者といった、権限を与えられた特定の役割の者にのみ変更可能な情報であり、設置時に画像処理装置１の操作パネルＰからの入力によって設定されるかまたは遠隔サーバーにて集中管理される。
【００５８】
印刷ジョブの認証では、印刷認証実行部４０５が、ユーザ情報管理部Ａ４０６およびユーザ情報管理部Ｂ４０７に格納されているユーザＩＤ、パスワードと、印刷ジョブのヘッダに記述されているユーザＩＤ、パスワードとを照合する。そして、一致するユーザＩＤとパスワードの組み合わせが見つかった場合にユーザＩＤに関連する属性を付与してデータ記憶部４０８に格納し、印刷ジョブの認証が終了したことを印刷管理部４０９に通知する。印刷管理部４０９は、認証完了の通知を受けた印刷ジョブの実行可否判定や、課金Ｉ／Ｆボード５０を通じてコインラック１０１の制御や、ユーザＩＤ、パスワードの入力画面の表示や、印刷予約リストの表示の制御を行う。
【００５９】
ここで、図７に、本実施形態で用いる印刷ジョブのデータ形式を示す。印刷データ７０３の前にヘッダ部７０４としてユーザＩＤ７０１およびパスワード７０２が付加されている。なお、これらのヘッダ部７０４のデータは、本実施形態の画像処理装置１をサポートするプリンタドライバによって付与される情報である。
【００６０】
印刷管理部４０９にて制御された印刷ジョブは、印刷制御ユニット１１を介して印刷装置１０２に送信され、印刷装置１０２にて印刷出力される。課金Ｉ／Ｆボード５０は、前述のとおり、コインラック１０１の情報取得や制御を行うハードウェアボードであり、印刷管理部４０９とメディア印刷実行部４０１により操作可能である。
【００６１】
印刷画像保存部４１０は、印刷制御ユニット１１が印刷装置１０２に送る印刷出力イメージ（印刷画像データ）を電子ファイルとして保存する機能ブロックである。また、印刷履歴保存部４１１は、印刷管理部４０９が、印刷画像保存部４１０に保存された印刷出力イメージに関する履歴として、ユーザＩＤ毎に印刷枚数やカラー属性及び印刷出力イメージを電子ファイル化し保存する機能ブロックである。
【００６２】
なお、画像読取装置１０３を常に使用するコピーとＦＡＸ機能では、サービス提供時にユーザが画像処理装置１の対面に居るため、印刷ジョブの処理に係わる本実施形態の機能ブロックおよび処理フローは適用しない。
【００６３】
（メディア印刷処理）
次に、メディアを用いた印刷（以下、メディア印刷と称す）時の処理について、図８を用いて説明する。図８はメディアを用いた印刷時の処理を示したフローチャートである。
【００６４】
はじめに、Ｓ８０１で、ユーザによる操作パネルＰ上での画面操作が行われる。このとき、ユーザは、持ち込んだメモリカード等のメディアを情報処理ユニット部Ｂに具備されたメディアスロットに差込み、操作パネルＰにて、印刷するファイルを選択後、印刷カラーや枚数などの印刷属性を入力することになる。
【００６５】
印刷属性確定後に料金が確定する。Ｓ８０２では、メディア印刷実行部４０１がユーザに対して確定した料金の投入を画面表示にて促すことにより、ユーザは表示された料金をコインラック１０１に投入することになる。コインラック１０１に十分な料金が投入されると、ユーザは、情報処理ユニット部Ｂ上のスタートボタンを押下することによって、印刷開始を指示することができる。
【００６６】
続くＳ８０３は、情報処理ユニット部Ｂのプリンタドライバが画像処理ユニット部Ａに対して印刷要求を行う処理である。このとき、プリンタドライバは、印刷ジョブがメディア印刷であることを判別できるよう、固定のユーザＩＤとパスワードを印刷ジョブのヘッダ部に設定する。
【００６７】
続くＳ８０４は、画像処理ユニット部Ａの印刷認証実行部４０５で実施される印刷データ認証のための処理である。ここでの印刷データ認証は、受信した印刷ジョブからユーザＩＤとパスワードを抽出し、抽出したユーザＩＤとパスワードが予めユーザ情報管理部Ａ４０６またはユーザ情報管理部Ｂ４０７に登録されたユーザＩＤとパスワードに一致するかを照合し、印刷ジョブの属性を決定する処理である。
【００６８】
続くＳ８０５は、印刷データ認証完了後に印刷管理部４０９で行われる印刷実行処理である。メディア印刷の場合は、コインラック１０１による課金を有効化する（すなわち、コインラック１０１に投入された金額から利用料金分の減額を可能にする）。そして、印刷制御ユニット１１に対して印刷出力を要求する。この印刷出力を受けた印刷制御ユニット１１は、印刷装置１０２に対して画像データを含む印刷指示を出力し、印刷装置１０２に転写紙などの媒体に画像を形成して出力させる。
【００６９】
続くＳ８０６はコインラック１０１による課金である。コインラック１０１には予め印刷指示前に印刷単価が設定されており、一枚ごとの出力終了時にコインラック１０１内の投入済み料金を印刷単価分ずつ減算する。
【００７０】
続くＳ８０７は、印刷画像の消去処理である。本実施形態では全ての印刷出力に対して一時的に印刷出力イメージの画像ログを記録するようにしている。しかしコンビニエンスストアなどで不特定のユーザが印刷を行った印刷データの保存は個人情報に該当するため、印刷制御ユニット１１によって取得された印刷出力イメージ（印刷画像）については、印刷管理部４０９がＳ８０７で消去する。
【００７１】
（ＰＣ印刷処理）
次に、ＰＣから印刷指示を行い印刷する場合の処理について図９を用いて説明する。図９は、ＰＣから印刷指示を行い印刷する場合の処理を示したフローチャートである。
【００７２】
はじめに、Ｓ９０１で、ユーザによるＰＣ上での印刷指示のための操作が行われる。このとき、ユーザは、印刷するファイルを選択後、印刷カラーや枚数などの印刷属性を入力することになる。
【００７３】
続くＳ９０２は、ＰＣのプリンタドライバから画像処理制御ユニット１０に印刷要求を行う処理である。この際、店舗内におかれたＰＣでは、印刷ジョブが店舗内のＰＣから投入されたことを判別できるよう固定のユーザＩＤがドライバに予め設定されているので、ユーザは自分でパスワードのみを入力する。入力されたパスワードはプリンタドライバによって内部メモリに一定期間内保存される。なお、入力されたパスワードがメモリ内の既存のパスワードに一致してしまった場合は、ユーザにパスワードの変更を促す。他方、事務所等におかれたＰＣから印刷指示を行う場合は、印刷を行うユーザが予め企業などから個人に配布したユーザＩＤとパスワードを、プリンタドライバにそのＵＩ（Ｕｓｅｒ  Ｉｎｔｅｒｆａｃｅ）を介して自分で設定する。
【００７４】
続くＳ９０３は、画像処理ユニット部Ａの印刷認証実行部４０５で実施される印刷データ認証のための処理である。印刷データ認証は、受信した印刷データから、ユーザＩＤとパスワードを抽出し、このユーザＩＤとパスワードが、ユーザ情報として予め登録されたユーザＩＤとパスワードに一致するかを照合し、印刷ジョブの属性を決定する処理である。印刷認証実行部４０５は、照合が成立したユーザＩＤに対応するユーザ情報を基に、店舗内のＰＣから指示された印刷か、事務所のＰＣから指示された印刷かどうかを判断しその属性をデータ記憶部４０８に記憶する。そして、印刷管理部４０９で実行されるＳ９０４の印刷実行に移行する。
【００７５】
Ｓ９０４の印刷実行では、印刷認証実行部４０５により決定されデータ記憶部４０８に記憶された印刷ジョブの属性が、ユーザ認証が必要な属性となっているので、印刷管理部４０９が、印刷ジョブをデータ記憶部４０８にキューイングし、画像処理装置１の操作パネルＰ上からユーザ認証が行われるまで印刷出力を中断させる。その後、画像処理装置１でのユーザ認証が成功し、印刷指示がなされた場合に、当該印刷ジョブの印刷出力処理をする。なお、本印刷実行の処理の詳細は後述する。
【００７６】
（印刷データ認証処理）
続いて、前述のＳ８０４及びＳ９０３の印刷データ認証処理の詳細を、図１０を用いて説明する。図１０は、前述のＳ８０４及びＳ９０３の印刷データ認証処理の詳細を記したフローチャートである。以下の処理は、印刷認証実行部４０５により実施される。
【００７７】
はじめに、Ｓ１００１で、印刷ジョブから抽出されたユーザＩＤとパスワードがユーザ情報管理部Ａ４０６に登録されているか否かの照合（印刷データ認証Ａ）を実施する。
【００７８】
次に、Ｓ１００１での照合の結果、印刷ジョブから抽出されたユーザＩＤに一致する、ユーザ情報管理部Ａ４０６に登録されたユーザＩＤを検出した場合は（Ｓ１００２でＹｅｓ）、Ｓ１００３でユーザ情報にコインラック課金実施属性を付加する。
【００７９】
続いて、Ｓ１００４で、ユーザＩＤが店舗に備え付けられたＰＣからのユーザＩＤであると確認された場合は（Ｓ１００４でＹｅｓ）、Ｓ１００５でユーザ情報管理部Ａ４０６に格納されているユーザ情報のうち、印刷ジョブから抽出されたユーザＩＤに一致するユーザ情報のパスワード部分に、印刷ジョブから抽出されたパスワード文字列を上書き追加する。なお、Ｓ１００４でＮｏの場合は、Ｓ１０１０へ移行する。
【００８０】
次に、Ｓ１０１０で、印刷ジョブから抽出されたユーザＩＤがメディア印刷用のユーザＩＤと一致した場合（Ｓ１０１０でＹｅｓ）、Ｓ１０１１にてユーザ情報に対面印刷属性を付加する。なお、Ｓ１０１０でＮｏの場合は、Ｓ１０１２へ移行する。
【００８１】
一方、Ｓ１００２の判定にて、印刷ジョブから抽出されたユーザＩＤがユーザ情報管理部Ａ４０６に登録されたユーザＩＤに一致しなかった場合（Ｓ１００２でＮｏ）、Ｓ１００６で、印刷ジョブから抽出されたユーザＩＤとパスワードがユーザ情報管理部Ｂ４０７に登録されているか否かの照合（印刷データ認証Ｂ）を実施する。
【００８２】
Ｓ１００７での照合の結果、印刷ジョブから抽出されたユーザＩＤとパスワードがユーザ情報管理部Ｂ４０７に登録されたユーザＩＤとパスワードに一致した場合は（Ｓ１００７でＹｅｓ）、Ｓ１００８でユーザ情報に履歴保存属性を付加する。
【００８３】
他方、Ｓ１００７で、印刷ジョブから抽出されたユーザＩＤとパスワードがユーザ情報管理部Ｂ４０７に登録されていない場合は（Ｓ１００７でＮｏ）、印刷データ認証失敗としてＳ１００９で印刷データを破棄し、印刷処理を終了する。
【００８４】
一方、印刷データ認証に成功した印刷ジョブは、Ｓ１０１２で、印刷ジョブ毎に割り当てられる管理番号が付与され、ユーザ情報、印刷データと共にデータ記憶部４０８に記憶される。
【００８５】
続くＳ１０１３では、印刷ジョブの管理番号を印刷管理部４０９に通知することにより、印刷ジョブに対する認証が終了したことを印刷管理部４０９に知らせ、印刷データ認証処理を終了する。
【００８６】
（印刷実行処理）
【００８７】
続いて、Ｓ８０５及びＳ９０４の印刷実行処理の詳細を、図１１を用いて説明する。図１１はＳ８０５及びＳ９０４の印刷実行処理の詳細を記したフローチャートである。
【００８８】
はじめに、Ｓ１１０１で、上述の印刷データ認証処理でユーザ情報に付加された属性を基に印刷ジョブに対面印刷属性があるかどうかの判定を行う。印刷ジョブに対面印刷属性がない場合は（Ｓ１１０１でＮｏ）、Ｓ１１０３にて前述のように印刷ジョブをキューイングする。キューイングされた印刷ジョブは、画像処理装置１との対面でユーザが規定の操作を行うまで印刷出力されることはない。
【００８９】
一方、Ｓ１１０１の判定で印刷ジョブに対面印刷属性がある場合は（Ｓ１１０１でＹｅｓ）、Ｓ１１０２でコインラック１０１を有効化する。そして、Ｓ１１０４の印刷出力処理を行う。
【００９０】
（キューイング印刷処理１）
続いて、事務所のＰＣから指示されて、キューイングされた印刷ジョブが、印刷実行される処理について図１２を用いて説明する。図１２は、事務所のＰＣから指示されてキューイングされた印刷ジョブが印刷実行される処理（キューイング印刷処理１）についてのフローチャートである。
【００９１】
はじめに、Ｓ１２０１で、ユーザによる操作パネルＰ上での画面操作が行われる。このとき、ユーザは自らユーザＩＤとパスワードを入力する。
【００９２】
入力が終了すると、Ｓ１２０２で印刷管理部４０９はユーザ認証を実施する。ここでのユーザ認証は、操作パネルＰから入力されたユーザＩＤとパスワードから、データ記憶部４０８にキューイングされている印刷ジョブの中から、入力されたユーザＩＤとパスワードに一致するユーザＩＤとパスワードをもつ印刷ジョブを探し当てる処理である。
【００９３】
上記ユーザ認証が終了すると、Ｓ１２０３で、印刷管理部４０９は印刷制御ユニット１１に対して印刷出力を要求する。この印刷出力を受けた印刷制御ユニット１１は、印刷装置１０２に対して画像データを含む印刷指示を出力し、印刷装置１０２に転写紙などの媒体に画像を形成して出力させる。
【００９４】
続くＳ１２０４は、印刷管理部４０９が実施する印刷出力終了後の履歴保存処理である。履歴保存処理では、ユーザＩＤ毎に印刷枚数やカラー属性及び印刷画像を電子ファイル化して画像処理ユニット部Ａ内部の記憶装置（印刷履歴保存部４１１）に保存する。
【００９５】
（キューイング印刷処理２）
続いて、店舗内のＰＣから指示された印刷ジョブのキューイング印刷処理（キューイング印刷処理２）について図１３を用いて説明する。図１３は、キューイング印刷処理２についてのフローチャートである。
【００９６】
はじめに、Ｓ１３０１で、ユーザによる操作パネルＰ上での画面操作が行われる。このとき、店舗内のＰＣから指示された印刷の場合、ユーザＩＤは固定である。よってユーザによるユーザＩＤの入力は不可で、印刷指示を行った時に指定した任意のパスワードのみを入力する。よってユーザは店舗内のＰＣで入力したパスワードを記憶しておく必要がある。
【００９７】
パスワードの入力が終了すると、Ｓ１３０２で印刷管理部４０９はユーザ認証を実施する。ここでのユーザ認証は、データ記憶部４０８にキューイングされている印刷ジョブの中から、固定のユーザＩＤと操作パネルＰから入力されたパスワードに一致するユーザＩＤとパスワードをもつ印刷ジョブを探し当てる処理である。
【００９８】
上記ユーザ認証が終了すると、Ｓ１３０３で投入料金の検出を行う。印刷管理部４０９は、課金Ｉ／Ｆボード５０経由でコインラック１０１に問い合わせを行って投入料金を確認し、不足がある場合、操作パネルＰの画面上に料金の投入を指示する表示を行う。
【００９９】
続くＳ１３０３で印刷に十分な料金の投入を検出すると、Ｓ１３０４でコインラック１０１からの課金を有効化する。そして、Ｓ１３０５で印刷制御ユニット１１に対して印刷出力を要求する。この印刷出力を受けた印刷制御ユニット１１は、印刷装置１０２に対して画像データを含む印刷指示を出力し、印刷装置１０２に転写紙などの媒体に画像を形成して出力させる。
【０１００】
そしてＳ１３０６でコインラック１０１での課金を行う。コインラック１０１には予め印刷指示前に印刷単価が設定されており、一枚ごとの出力終了時に、コインラック１０１内の料金を印刷単価分だけ減算していく。
【０１０１】
続くＳ１３０７は、印刷画像の消去処理である。本実施形態では全ての印刷出力に対して一時的に画像ログを記録するようにしている。しかしコンビニエンスストア等でのユーザが行った印刷データの保存は個人情報に該当するため、キューイング印刷処理１とは異なり、メディア印刷の場合と同様に、印刷制御ユニット１１によって一時的に記録された印刷出力イメージ（印刷画像）については印刷管理部４０９が消去する。
【０１０２】
（ユーザ認証処理）
図１４は、Ｓ１２０２及びＳ１３０２のユーザ認証処理の詳細を記したフローチャートである。
【０１０３】
Ｓ１４０１は、画面上にユーザＩＤおよびパスワードを入力するための入力画面（ＧＵＩ）を表示する処理である。ユーザはこの入力画面からユーザＩＤおよびパスワードを入力することができる。
【０１０４】
ここで、図１５に、ユーザＩＤおよびパスワードを入力するための入力画面例を示す。図１５は、図３の初期画面でＰＣプリントを押下した場合の画面例である。ユーザが入力可能な入力フィールドとしてユーザＩＤ入力フィールド１５０１と、パスワード入力フィールド１５０２がある。ユーザは画面上に表示されたキーボード部１５０４を操作して、印刷指示時に設定したユーザＩＤと任意設定したパスワードを入力する（なお、前述のように店舗内のＰＣを使った印刷の場合、ユーザＩＤは固定である）。ユーザはユーザＩＤ、パスワードの入力を終了すると画面上の入力完了ボタン１５０３を押下する。これにより、ユーザＩＤ、パスワードの入力設定が完了する。
【０１０５】
引き続き、ユーザ認証処理について説明する。Ｓ１４０２は、ユーザＩＤとパスワードの入力が完了したか否かのチェック処理である。このチェック処理は、ユーザＩＤとパスワードの入力が未完の間（Ｓ１４０２でＮｏ）、Ｓ１４０３で一定のウェイト処理を経て、繰り返し行われる。ユーザＩＤとパスワードの入力が完了すると（入力完了ボタン１５０３が押下されると）（Ｓ１４０２でＹｅｓ）、Ｓ１４０４へ移行する。
【０１０６】
Ｓ１４０４では、キューイングされた印刷ジョブの中から、入力されたユーザＩＤとパスワードが一致する印刷ジョブを検索し印刷データを取得する。そして、Ｓ１４０５で、画面上に印刷ジョブを識別できるファイル名などをリスト表示する。このとき、ユーザは、表示されたリストから印刷ジョブを選択することができる。
【０１０７】
続くＳ１４０６は、印刷するデータのユーザによる選択が完了したか否かのチェック処理である。このチェック処理は、選択が未完の間（Ｓ１４０６でＮｏ）、Ｓ１４０７で一定のウェイト処理を経て、繰り返し行われる。印刷するデータの選択が完了すると（例えば、選択操作後所定のボタンが押下されると）（Ｓ１４０６でＹｅｓ）、ここでのユーザ認証処理を完了する。
【０１０８】
（印刷履歴保存処理）
続いて、Ｓ１２０４の印刷履歴保存処理の詳細を、図１６を用いて説明する。図１６は、Ｓ１２０４の印刷履歴保存処理の詳細を記したフローチャートである。
【０１０９】
はじめに行われるＳ１６０１は、履歴保存属性のチェック処理である。このステップでは、実行した印刷ジョブが、履歴を残すものか否かを前述の履歴保存属性の有無を基に判定する。
【０１１０】
履歴保存属性の場合は（Ｓ１６０１でＹｅｓ）、Ｓ１６０２で、前述の印刷画像保存部４１０から印刷出力イメージ（印刷画像）を取得し、Ｓ１６０４でユーザＩＤ毎に印刷出力イメージを画像ログとして印刷履歴に含め、前述の印刷履歴保存部４１１に保存する。
【０１１１】
一方、Ｓ１６０１で履歴保存属性がない場合は（Ｓ１６０１でＮｏ）、Ｓ１６０３で印刷出力イメージを画像処理装置１内から（すなわち印刷画像保存部４１０から）消去する。
【０１１２】
以上、本実施形態の画像処理装置１の構成および動作の詳細を説明した。本実施形態の画像処理装置１では、客による対面印刷または客による店舗のＰＣから受信したデータの印刷と、店舗の従業員によるバックオフィスからの印刷とを分別して処理することにより、客からの印刷中にバックオフィスからの印刷が割り込んでしまうことによる、課金の不具合を防止することができるとともに、バックオフィスからの印刷物が客に見られてしまうといったセキュリティ上の不具合を防止することができる。また、バックオフィスからの印刷には履歴等を取る処理を行うが、客による印刷には履歴等を消去することにより個人情報を保護することができる。
【０１１３】
なお、本実施形態では画像処理装置１として、画像処理ユニット部Ａと情報処理ユニット部Ｂとで構成される装置を用い、情報処理ユニット部Ｂにてメディア印刷実行部４０１を構築したが、画像処理ユニット部Ａにメディア印刷実行部４０１を構築することによっても、同様の機能を実現可能であることは言うまでもない。
【０１１４】
また、本実施の形態の画像処理装置１で実行されるプログラムは、ＲＯＭ等に予め組み込まれて提供される。このプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１５】
さらに、このプログラムを、インターネット等のネットワークに接続されたコンピュータ上に格納し、ネットワーク経由でダウンロードさせることにより提供する。すなわちインターネット等のネットワーク経由で提供または配布するように構成しても良い。
【０１１６】
本実施の形態の画像処理装置１の画像処理ユニット部Ａで実行されるプログラムは、上述した印刷ジョブ処理部４０４、印刷認証実行部４０５、印刷管理部４０９を含むモジュール構成となっており、実際のハードウェアとしてはＣＰＵ１３がＲＯＭ１５からプログラムを主記憶装置であるＳＤＲＡＭ１４上にロードし実行する。また、本実施の形態の画像処理装置１の情報処理ユニット部Ｂで実行されるプログラムの１つであるメディア印刷実行部４０１は、実際のハードウェアとしてはＣＰＵ３１がメモリユニット３２中のＲＯＭからプログラムを同メモリユニット３２中の主記憶上にロードし実行する。
【符号の説明】
【０１１７】
１  画像処理装置
２  ＬＡＮ
１０  画像処理制御ユニット（制御手段）
１１  印刷制御ユニット
１２  画像読取制御ユニット
１３  ＣＰＵ
１４  ＳＤＲＡＭ
１５  ＲＯＭ
１６  ＮＶＲＡＭ
１７  ＨＤＤ
１８  ＬＡＮ制御部
１９  ＨＵＢ
２０  ＦＡＸ制御ユニット
２１  ＰＢＸ
２２  表示制御ユニット
２３  操作入力制御ユニット
２４  制御パネルＩ／Ｆ
２５  通信ケーブル
２６  ドライバ
３１  ＣＰＵ
３２  メモリユニット
３３  記憶装置
３４  記憶装置制御ユニット
３５  ＬＡＮ制御部
３６  表示制御ユニット
３７  操作入力制御ユニット
３８  制御パネルＩ／Ｆ
３９  制御パネル通信ユニット
４０  入出力デバイス制御ユニット
４１  各種インターフェース
４２  ドライバ
５０  課金Ｉ／Ｆボード
１０１  コインラック（課金手段）
１０２  印刷装置
１０３  画像読取装置
１０４  外部メディア入出力装置
４０１  メディア印刷実行部
４０２  ＰＣ−Ａ
４０３  ＰＣ−Ｂ
４０４  印刷ジョブ処理部
４０５  印刷認証実行部（ジョブ分別手段）
４０６  ユーザ情報管理部Ａ（ユーザ情報管理手段）
４０７  ユーザ情報管理部Ｂ（ユーザ情報管理手段）
４０８  データ記憶部
４０９  印刷管理部（ユーザ認証手段、課金有効化手段、印刷管理手段）
４１０  印刷画像保存部
４１１  印刷履歴保存部
【先行技術文献】
【特許文献】
【０１１８】
【特許文献１】特開２００５−２６６３５９号公報
【特許文献２】特開平１０−２０７６６１号公報
【図１】
2011090380.tif 000003
【図２】
2011090380.tif 000004
【図３】
2011090380.tif 000005
【図４】
2011090380.tif 000006
【図５】
2011090380.tif 000007
【図６】
2011090380.tif 000008
【図７】
2011090380.tif 000009
【図８】
2011090380.tif 000010
【図９】
2011090380.tif 000011
【図１０】
2011090380.tif 000012
【図１１】
2011090380.tif 000013
【図１２】
2011090380.tif 000014
【図１３】
2011090380.tif 000015
【図１４】
2011090380.tif 000016
【図１５】
2011090380.tif 000017
【図１６】
2011090380.tif 000018